(57)【要約】【課題】複写記入した情報を隠蔽可能で偽造防止機能も有する複写シートを提供する。【課題の解決手段】複写シート１は、一面には記入欄を設け、他面にはノーカーボン感圧複写層である顕色剤層５を設けた第１シートである注文書控３と、注文書控３の顕色剤層５と対向する面に、ノーカーボン感圧複写・示温消色層である顕色剤層５の上に発色剤マイクロカプセルと消色型示温剤マイクロカプセルを混合してなる発色剤・示温剤マイクロカプセル層１２を設けた第２シートである注文葉書４とからなり、注文書控３の記入欄に記入した事項が、注文書控３の他面と注文葉書４とに複写記入され、常温では呈色状態にある消色型示温剤マイクロカプセルによってカムフラージュされて注文葉書４の複写記入事項は隠蔽状態となる。【選択図】図２
2007196424.tif 000002
【特許請求の範囲】
【請求項１】
一面には記入欄を設け、他面にはノーカーボン感圧複写層を設けた第１のシートと、この第１のシートのノーカーボン感圧複写層と対向する面にノーカーボン感圧複写・示温消色層を設けた第２のシートとからなることを特徴とする複写シート。
【発明の詳細な説明】
【技術分野】
【０００１】
本発明は、ノーカーボン感圧複写タイプの複写シートに関し、特に複写記入した情報を隠蔽可能とした複写シートに関する。
【背景技術】
【０００２】
従来から、ノーカーボン感圧複写タイプの複写シートは種々知られており、また、複写記入した情報を隠蔽可能とした複写シートも知られている。この従来の複写記入した情報を隠蔽可能とした複写シートは、裏面に発色剤マイクロカプセル層を設けた上位シートと、この上位シートの裏面に対向する表面に顕色剤及び消色型示温剤マイクロカプセルからなる顕色剤・示温剤マイクロカプセル層を設けた下位シートとからなる。そして、常温では示温剤が呈色するため、上位シートの表面に記入することで、下位シート表面に複写記入した情報は視認できず隠蔽状態となる一方、示温剤の消色温度以上に加温すると、示温剤が消色、透明化して情報を読み取ることができるものである。
【特許文献１】特開平１０−２１１７８０号公報
【発明の開示】
【発明が解決しようとする課題】
【０００３】
しかし、この従来の情報を隠蔽可能な複写シートは、上位シートへの記入で下位シートに複写記入した後、上位シートを下位シートから分離すると、上位シートの記入内容と下位シートの複写記入内容を関連づけることができないので、上位シートの記入内容を改ざんしても、下位シートの複写記入内容との不一致は判明するが、いずれのシートの記入内容が正当で、いずれのシートの記入内容が改ざんしたものであるか、を判断することができないという不都合があった。本発明は、このような不都合を解消した複写記入した情報を隠蔽可能な複写シートを提供することを目的とする。
【課題を解決するための手段】
【０００４】
この目的を達成するため本発明の請求項１に係る複写シートは、一面には記入欄を設け、他面にはノーカーボン感圧複写層を設けた第１のシートと、この第１のシートのノーカーボン感圧複写層と対向する面にノーカーボン感圧複写・示温消色層を設けた第２のシートとからなるものである。第１のシートのノーカーボン感圧複写層としては、顕色剤層が好適である。また、第２のシートのノーカーボン感圧複写・示温消色層としては、顕色剤層の上に発色剤マイクロカプセルと消色型示温剤マイクロカプセルを混合した層を積層してなる二層構造や、顕色剤マイクロカプセルと発色剤マイクロカプセルと消色型示温剤マイクロカプセルとを混合した一層構造が好適である。消色型示温剤としては、常温（１５〜３５℃程度）で発色剤とほぼ同色の呈色状態にあり、３５〜７０℃程度で完全に消色するものが好適である。
【発明の効果】
【０００５】
本発明の請求項１に係る複写シートによれば、第１のシートの記入欄と反対面側にノーカーボン感圧複写層を設けたので、この複写層に記入内容が複写記入されることにより、第１のシートの両面と第２のシートの複写記入面における記入内容がすべて一致していない場合は、正規の記入後に改ざんされたものであると判断できるので、複写シートの改ざん防止に有効であり、また、複写記入情報を隠蔽状態で伝達できるとともに、加温すれば複写記入情報の隠蔽状態を解除できるので、その読み取りも容易であるという効果を奏する。
【発明を実施するための最良の形態】
【０００６】
以下、本発明の好適な実施形態を添付図面に基づき説明する。ここにおいて、図１〜図３は第１実施形態を示し、図１は注文書控と注文葉書からなる複写シートの展開状態を示す断面図、図２は複写面同士が対向するように折り重ねた状態を示す断面図、図３は複写シートを注文書控と注文葉書の２枚に分離した状態を示す斜視図である。また、図４は第２の実施形態の複写シートを示す断面図である。
【０００７】
図１に示すように、複写シート１は、折り兼切り用ミシン目からなる切り離し部２を境に、第１のシートたる注文書控３と第２のシートたる注文葉書４とを連接してなる。この複写シート１の一面（図１上、上面）には、ノーカーボン感圧複写層である顕色剤層５をほぼ全面的に設けている。また、注文書控３の他面（図１上、下面）には、商品注文書（控）なる表題６の下に、商品名、注文個数、価格を記入する注文商品記入欄７と、注文者の住所、氏名、会員番号を記入する注文者記入欄８とを設けている（図３参照）。一方、注文葉書４の前記顕色剤層５を設けた一面（図１上、上面）には、注文書控３と同様に、商品注文書なる表題９の下に、商品名、注文個数、価格を複写記入する注文商品複写記入欄１０と、注文者の住所、氏名、会員番号を複写記入する注文者複写記入欄１１とを設けている（図３参照）。図示してはいないが、前記注文葉書４の他面（図１上、下面）には、送付先となる商品取り扱い業者の住所及び名称である宛先情報をあらかじめ表示している。
【０００８】
顕色剤層５は、公知の電子受容性物質をアルコールなどの有機溶媒中に溶解した後、フレキソインキ、紫外線硬化型オフセットインキなどのインキビヒクルと混合し、顕色剤インキとしたものを塗布して形成したものである。また、前記電子受容性物質としては、フェノールホルムアルデヒド樹脂、酸性白土、活性白土、ゼオライト、ベントナイト、カオリンなどの粘土物質、あるいは芳香族カルボン酸金属塩などを挙げることができる。
【０００９】
図１に示すように、注文葉書４に対応する顕色剤層５の上には、顕色剤層５とともにノーカーボン感圧複写・示温消色層を構成する発色剤マイクロカプセルと消色型示温剤マイクロカプセルを混合してなる発色剤・示温剤マイクロカプセル層１２を積層している。これらマイクロカプセルはインキ化したものを使用すると好適であり、その調製法としては、水系に生成したマイクロカプセルをカプセル壁材とインキビヒクルの双方に親和性のある溶剤、例えば、グリセリンなどの低級アルコールをもって、カプセル壁材を被覆するように設けた後、真空脱水法を用いてカプセル生成液の水分を気化して除去することで、マイクロカプセルを粉体にすることなく、カプセル表面層を溶剤で被覆した状態でインキビヒクル中に分散状態で置換する方法がある（特開平７−２１６２７３号参照）。なお、消色型示温剤マイクロカプセルは所定の印字圧や筆圧に耐え得る強度が必要なので、マイクロカプセル材質が同一の場合には、発色剤マイクロカプセルと比較して、カプセル殻の厚みを増したり、カプセルサイズを小さくするなどの調整を行う。
【００１０】
発色剤としては、公知の電子供与物質を用いればよいが、ロイコ系染料が最も好適である。一方、消色型示温剤としては、常温（１５〜３５℃程度をいう、以下同じ。）では呈色状態にあって、一定温度以上に加温すると消色して透明化する有機系、無機系のサーモクロミック物質であればよく、可逆性型でも不可逆性型でもよいが、消色温度、消色温度幅、使いやすさ、コストなどを勘案すると、感熱型カラーフォーマーが好適である。例えば、ロイコ系染料とフェノール類の固体酸及び高級アルコール，エステル，エーテルなどの減感剤を混合したものがある。この例に挙げた消色型示温剤では、３５〜４５℃程度に加温すると、減感剤が融けてロイコ系染料と固体酸の反応による発色を妨げ、消色し透明化するものである。なお、通常の事務処理環境における常温で複写記入情報を隠蔽する必要があるため、消色型示温剤は、呈色状態では発色剤と同色であることが望ましく、また、前記常温で消色しないことが求められる反面、これが高すぎると読み取り時の取扱いに問題が生じるため、３５〜７０℃程度で完全消色する消色温度に設定すると好適である。
【００１１】
本実施形態は以上のように構成したので、複写シート１を図２に示すように、切り離し部２で注文書控３の顕色剤層５と注文葉書４の発色剤・示温剤マイクロカプセル層１２を対接した状態で、前記注文書控３の各記入欄７，８に商品注文に必要な情報を記入する（図示せず）と、同一情報が、前記注文葉書４の対応する各複写記入欄１０，１１と前記注文書控３の裏面側に複写される。この時、消色型示温剤は常温下にあるので呈色状態にあり、各複写記入欄１０，１１に記入された複写記入情報（図示せず）は、消色型示温剤マイクロカプセルによってカムフラージュされた隠蔽状態となって、視認不能である。
【００１２】
この状態で切り離し部２を分断して、注文書控３と注文葉書４とを分離すれば（図３参照）、前記注文葉書４を通常の葉書と同様に使用できる。この際、注文葉書４は送付先に到達するまで、常に常温下におかれるので、消色型示温剤は呈色状態を維持し、複写記入情報は隠蔽状態にあり、何人にも視認される虞はない。一方、注文葉書４を受領した商品取扱業者は、適宜な器具を用いて、複写記入情報面を加温して消色型示温剤の消色温度以上とすることにより、消色型示温剤を消色、透明化して、複写記入情報の読み取りを行うものである。
【００１３】
続いて、本発明の第２実施形態を、図４に基づいて説明する。本実施形態の複写シート２１が上述した第１実施形態の複写シート１と異なるのは、注文書控２３と注文葉書２４を当初から別体に構成して重ね合わせている点と、注文葉書２４のノーカーボン感圧複写・示温消色層２６が２層構造ではなく、一層構造の点である。注文書控２３に設けた顕色剤層２５をはじめ、その他の構成及び使用方法は第１実施形態と同一なので、その説明は省略し、以下にはノーカーボン感圧複写・示温消色層２６についてのみ説明する。
【００１４】
ノーカーボン感圧複写・示温消色層２６は、顕色剤マイクロカプセルと発色剤マイクロカプセルと消色型示温剤マイクロカプセルとを混合して形成した、顕色剤・発色剤・示温剤マイクロカプセル層２６である。顕色剤、発色剤、消色型示温剤は、上述の第１実施形態で説明したものと同様のものを使用すればよく、また、発色剤と消色型示温剤のマイクロカプセル化も同様に行うことができる。また、顕色剤のマイクロカプセル化は、インキビヒクルを消色型示温剤マイクロカプセルインキと同一のもので顕色剤インキを調製した後、発色剤と消色型示温剤のマイクロカプセル化と同様に行うことができる。
【００１５】
なお、本発明は、上述の各実施形態に限定されるものではなく、例えば、第１実施形態の複写シート１の注文書控３と注文葉書４を、第２実施形態と同様に、当初から別体として構成してもよい。また、切り離し部２は、折り兼切り用ミシン目によるほか、切断指示線でもよい。さらに、複写シート１，２１は注文書控３，２３と注文葉書４，２４との組み合わせに限定されず、種々の用途に適した構成を採用することが可能である。
【図面の簡単な説明】
【００１６】
【図１】第１実施形態における複写シートの展開状態を示す断面図。
【図２】同じく折り重ねた状態を示す断面図。
【図３】同じく複写シートを２枚に分離した状態を示す斜視図。
【図４】第２実施形態における複写シートを示す断面図。
【符号の説明】
【００１７】
１，２１      複写シート
２      切り離し部
３，２３      注文書控
４，２４      注文葉書
５，２５      顕色剤層
６，９      表題
７      注文商品記入欄
８      注文者記入欄
１０      注文商品複写記入欄
１１      注文者複写記入欄
１２      発色剤・示温剤マイクロカプセル層
２６      顕色剤・発色剤・示温剤マイクロカプセル層  
【図１】
2007196424.tif 000003
【図２】
2007196424.tif 000004
【図３】
2007196424.tif 000005
【図４】
2007196424.tif 000006